(57)【要約】      （修正有）【課題】パイプに濾材を充填した濾過装置において、設置時に安定感があり、水槽の上部に設置可能な魚類飼育水の循環濾過装置を提供する。【解決手段】トレー１の一隅にポンプ２を設け、ポンプ２に飼育水汲み上げパイプ３を取り付ける。飼育水汲み上げパイプ３の他端をＵ字型濾過パイプ連結部４ａの飼育水汲み上げパイプ接続口８ｍに取り付ける。Ｕ字型濾過パイプ６ａに濾材を充填し、両端にストレーナーを配し、一端をＵ字型濾過パイプ連結部４ａのＵ字型濾過パイプ接続口８ａに接続し他端をＵ字型濾過パイプ連結部４ｂのＵ字型濾過パイプ接続口８ｂに接続する。同様に濾材を充填し両端にストレーナーを配したＵ字型濾過パイプ５ｂ、５ｃ、５ｄ、５ｅ、５ｆを構成する。【選択図】図１
2005211066.tif 000002
【特許請求の範囲】
【請求項１】
トレー（１）の一隅にポンプ（２）を設け、ポンプ（２）に飼育水汲み上げパイプ（３）を取り付ける。
飼育水汲み上げパイプ（３）の他端をＵ字型濾過パイプ連結部（４ａ）の飼育水汲み上げパイプ接続口（８ｍ）に取り付ける。
Ｕ字型濾過パイプ（５ａ）に濾材を充填し、両端にストレーナーを配し、一端をＵ字型濾過パイプ連結部（４ａ）のＵ字型濾過パイプ接続口（８ａ）に接続し他端をＵ字型濾過パイプ連結部（４ｂ）のＵ字型濾過パイプ接続口（８ｂ）に接続する。
同様に濾材を充填し両端にストレーナーを配したＵ字型濾過パイプ（５ｂ）（５ｃ）（５ｄ）（５ｅ）（５ｆ）を構成する。
Ｕ字型濾過パイプ（５ｂ）の一端は、Ｕ字型濾過パイプ連結部（４ｂ）のＵ字型濾過パイプ接続口（８ｃ）に、他端をＵ字型濾過パイプ連結部（４ｃ）のＵ字型濾過パイプ接続口（８ｄ）に接続する。
Ｕ字型濾過パイプ（５ｃ）の一端は、Ｕ字型濾過パイプ連結部（４ｃ）のＵ字型濾過パイプ接続口（８ｅ）に、他端をＵ字型濾過パイプ連結部（４ｄ）のＵ字型濾過パイプ接続口（８ｆ）に接続する。
Ｕ字型濾過パイプ（５ｄ）の一端は、Ｕ字型濾過パイプ連結部（４ｄ）のＵ字型濾過パイプ接続口（８ｇ）に、他端をＵ字型濾過パイプ連結部（４ｅ）のＵ字型濾過パイプ接続口（８ｈ）接続する。
Ｕ字型濾過パイプ（５ｅ）の一端は、Ｕ字型濾過パイプ連結部（４ｅ）のＵ字型濾過パイプ接続口（８ｉ）に、他端をＵ字型濾過パイプ連結部（４ｆ）のＵ字型濾過パイプ接続口（８ｊ）に接続する。
Ｕ字型濾過パイプ（５ｆ）の一端は、Ｕ字型濾過パイプ連結部（４ｆ）のＵ字型濾過パイプ接続口（８ｋ）に、他端をＵ字型濾過パイプ連結部（４ｇ）のＵ字型濾過パイプ接続口（８ｌ）に接続する。
Ｕ字型濾過パイプ連結部（４ｇ）の下端に処理水流出口（７）を設ける。
各Ｕ字型濾過パイプ連結部（４ａから４ｇ）には、汚泥排出バルブ（６）を設ける。
以上のように構成された魚類飼育水の循環濾過装置。
【請求項２】
汚泥排出バルブ（６）を取り付けない「請求項１」の魚類飼育水の循環濾過装置。
【発明の詳細な説明】
【技術分野】
【０００１】本発明は魚類飼育水の循環濾過装置に関する
【背景技術】
【０００２】従来の魚類飼育水の循環濾過装置には、パイプの中に濾材を充填し魚類飼育水を濾過しているものがある。（例えば、非特許文献１参照）
【非特許文献１】「株式会社トットバイオシステム  トットパーフェクトフィルター広告」、「月刊アクアライフ２００４年２月号  Ｐ−６２、Ｐ−６３」
【発明の開示】
【発明が解決しようとする課題】
【０００３】従来は、まっすぐなパイプの中に濾材を入れ、パイプの上下に接続部を設け、直線的に上下を連結して濾過槽としていた。このため濾過槽本体が不安定になる欠点があった。
策として水槽の特定部分にのみ（水槽の後部側面に）取り付けて使用すことしかできなかった。
しかし、水槽の後部側面に取り付けると、水槽の設置面積が増えるなどの欠点があった。また、水槽後部側面に取り付けるので、この濾過装置では、濾材の交換や掃除、保守点検などの作業スペースが非常に狭く、作業に困難な点があった。特に２段式水槽の下段後部側面に設置した場合においては、濾過装置のメンテナンスに窮屈で作業効率が悪いなどの欠点があった。
【課題を解決するための手段】
【０００４】トレー（１）の一隅にポンプ（２）を設け、ポンプ（２）に飼育水汲み上げパイプ（３）を取り付ける。
飼育水汲み上げパイプ（３）の他端をＵ字型濾過パイプ連結部（４ａ）の飼育水汲み上げパイプ接続口（８ｍ）に取り付ける。
Ｕ字型濾過パイプ（５ａ）に濾材を充填し、両端にストレーナーを配し、一端をＵ字型濾過パイプ連結部（４ａ）のＵ字型濾過パイプ接続口（８ａ）に接続し他端をＵ字型濾過パイプ連結部（４ｂ）のＵ字型濾過パイプ接続口（８ｂ）に接続する。
同様に濾材を充填し両端にストレーナーを配したＵ字型濾過パイプ（５ｂ）（５ｃ）（５ｄ）（５ｅ）（５ｆ）を構成する。
Ｕ字型濾過パイプ（５ｂ）の一端は、Ｕ字型濾過パイプ連結部（４ｂ）のＵ字型濾過パイプ接続口（８ｃ）に、他端をＵ字型濾過パイプ連結部（４ｃ）のＵ字型濾過パイプ接続口（８ｄ）に接続する。
Ｕ字型濾過パイプ（５ｃ）の一端は、Ｕ字型濾過パイプ連結部（４ｃ）のＵ字型濾過パイプ接続口（８ｅ）に、他端をＵ字型濾過パイプ連結部（４ｄ）のＵ字型濾過パイプ接続口（８ｆ）に接続する。
Ｕ字型濾過パイプ（５ｄ）の一端は、Ｕ字型濾過パイプ連結部（４ｄ）のＵ字型濾過パイプ接続口（８ｇ）に、他端をＵ字型濾過パイプ連結部（４ｅ）のＵ字型濾過パイプ接続口（８ｈ）接続する。
Ｕ字型濾過パイプ（５ｅ）の一端は、Ｕ字型濾過パイプ連結部（４ｅ）のＵ字型濾過パイプ接続口（８ｉ）に、他端をＵ字型濾過パイプ連結部（４ｆ）のＵ字型濾過パイプ接続口（８ｊ）に接続する。
Ｕ字型濾過パイプ（５ｆ）の一端は、Ｕ字型濾過パイプ連結部（４ｆ）のＵ字型濾過パイプ接続口（８ｋ）に、他端をＵ字型濾過パイプ連結部（４ｇ）のＵ字型濾過パイプ接続口（８ｌ）に接続する。
Ｕ字型濾過パイプ連結部（４ｇ）の下端に処理水流出口（７）を設ける。
各Ｕ字型濾過パイプ連結部（４ａから４ｇ）には、汚泥排出バルブ（６）を設ける。
【発明の効果】
【０００５】各Ｕ字型濾過パイプが、各濾過槽連結部のＵ字型濾過パイプ接続口に、逆Ｕ字型に接続されることによって、各Ｕ字型濾過パイプと各濾過槽連結部がコイル状に形成される。
このため、多いに安定感があり水槽上部に設置が可能となる。
また、Ｕ字型濾過パイプは、緩やかな曲線となっているため、飼育水の流れもスムースになる。
１本のＵ字型濾過パイプの長さは、以前のパイプ型濾過装置よりも長くなるため濾過効率も良い。
【発明を実施するための最良の形態】
【実施例】
【０００６】トレー（１）の一隅にポンプ（２）を設け、ポンプ（２）に飼育水汲み上げパイプ（３）を取り付ける。
飼育水汲み上げパイプ（３）の他端をＵ字型濾過パイプ連結部（４ａ）の飼育水汲み上げパイプ接続口（８ｍ）に取り付ける。
Ｕ字型濾過パイプ（５ａ）に濾材を充填し、両端にストレーナーを配し、一端をＵ字型濾過パイプ連結部（４ａ）のＵ字型濾過パイプ接続口（８ａ）に接続し他端をＵ字型濾過パイプ連結部（４ｂ）のＵ字型濾過パイプ接続口（８ｂ）に接続する。
同様に濾材を充填し両端にストレーナーを配したＵ字型濾過パイプ（５ｂ）（５ｃ）（５ｄ）（５ｅ）（５ｆ）を構成する。
Ｕ字型濾過パイプ（５ｂ）の一端は、Ｕ字型濾過パイプ連結部（４ｂ）のＵ字型濾過パイプ接続口（８ｃ）に、他端をＵ字型濾過パイプ連結部（４ｃ）のＵ字型濾過パイプ接続口（８ｄ）に接続する。
Ｕ字型濾過パイプ（５ｃ）の一端は、Ｕ字型濾過パイプ連結部（４ｃ）のＵ字型濾過パイプ接続口（８ｅ）に、他端をＵ字型濾過パイプ連結部（４ｄ）のＵ字型濾過パイプ接続口（８ｆ）に接続する。
Ｕ字型濾過パイプ（５ｄ）の一端は、Ｕ字型濾過パイプ連結部（４ｄ）のＵ字型濾過パイプ接続口（８ｇ）に、他端をＵ字型濾過パイプ連結部（４ｅ）のＵ字型濾過パイプ接続口（８ｈ）接続する。
Ｕ字型濾過パイプ（５ｅ）の一端は、Ｕ字型濾過パイプ連結部（４ｅ）のＵ字型濾過パイプ接続口（８ｉ）に、他端をＵ字型濾過パイプ連結部（４ｆ）のＵ字型濾過パイプ接続口（８ｊ）に接続する。
Ｕ字型濾過パイプ（５ｆ）の一端は、Ｕ字型濾過パイプ連結部（４ｆ）のＵ字型濾過パイプ接続口（８ｋ）に、他端をＵ字型濾過パイプ連結部（４ｇ）のＵ字型濾過パイプ接続口（８ｌ）に接続する。
Ｕ字型濾過パイプ連結部（４ｇ）の下端に処理水流出口（７）を設ける。
各Ｕ字型濾過パイプ連結部（４ａから４ｇ）には、汚泥排出バルブ（６）を設ける。
【産業上の利用可能性】
【図面の簡単な説明】
【図１】魚類飼育水の循環濾過装置を示した正面図である。
【図２】魚類飼育水の循環濾過装置を示した平面図である。
【符号の説明】
１  トレー
２  ポンプ
３  飼育水汲み上げパイプ
４ａ  Ｕ字型濾過パイプ連結部
４ｂ  Ｕ字型濾過パイプ連結部
４ｃ  Ｕ字型濾過パイプ連結部
４ｄ  Ｕ字型濾過パイプ連結部
４ｅ  Ｕ字型濾過パイプ連結部
４ｆ  Ｕ字型濾過パイプ連結部
４ｇ  Ｕ字型濾過パイプ連結部
５ａ  Ｕ字型濾過パイプ
５ｂ  Ｕ字型濾過パイプ
５ｃ  Ｕ字型濾過パイプ
５ｄ  Ｕ字型濾過パイプ
５ｅ  Ｕ字型濾過パイプ
５ｆ  Ｕ字型濾過パイプ
６  汚泥排出バルブ
７  処理水流出口
８ａ  Ｕ字型濾過パイプ接続口
８ｂ  Ｕ字型濾過パイプ接続口
８ｃ  Ｕ字型濾過パイプ接続口
８ｄ  Ｕ字型濾過パイプ接続口
８ｅ  Ｕ字型濾過パイプ接続口
８ｆ  Ｕ字型濾過パイプ接続口
８ｇ  Ｕ字型濾過パイプ接続口
８ｈ  Ｕ字型濾過パイプ接続口
８ｉ  Ｕ字型濾過パイプ接続口
８ｊ  Ｕ字型濾過パイプ接続口
８ｋ  Ｕ字型濾過パイプ接続口
８ｌ  Ｕ字型濾過パイプ接続口
８ｍ  飼育水汲み上げパイプ接続口
【図１】
2005211066.tif 000003
【図２】
2005211066.tif 000004